(57)【要約】【課題】所望の医療データへのアクセス時間を大幅に短縮することが可能なデータストレージ装置およびデータストレージシステムを提供する。【解決手段】データストレージ装置は、複数のデータ記録媒体を収納し、当該複数のデータ記録媒体に記録されるデータの種類を一意に識別する識別情報を記憶可能な識別情報記憶部を有する収納ユニットと、複数の収納ユニットを格納する収納ユニット格納部と、医療データの記録要求が発生した場合、収納ユニット格納部に格納されている複数の収納ユニットのうち、当該医療データの種類を一意に識別する識別情報が記憶されている識別情報記憶部を有する収納ユニットを特定する収納ユニット特定部と、収納ユニット特定部により特定された収納ユニットに収納されているデータ記録媒体に医療データを記録する制御を行う記録制御部とを備える。【選択図】図４
2017084234.tif 000002
【特許請求の範囲】
【請求項１】
複数のデータ記録媒体を収納し、当該複数のデータ記録媒体に記録されるデータの種類を一意に識別する識別情報を記憶可能な識別情報記憶部を有する収納ユニットと、
複数の前記収納ユニットを格納する収納ユニット格納部と、
医療データの記録要求が発生した場合、前記収納ユニット格納部に格納されている前記複数の収納ユニットのうち、当該医療データの種類を一意に識別する識別情報が記憶されている前記識別情報記憶部を有する前記収納ユニットを特定する収納ユニット特定部と、
前記収納ユニット特定部により特定された前記収納ユニットに収納されている前記データ記録媒体に前記医療データを記録する制御を行う記録制御部と、
を備えるデータストレージ装置。
【請求項２】
前記識別情報記憶部は、非接触で前記識別情報を記憶可能なＲＦＩＤである、
請求項１に記載のデータストレージ装置。
【請求項３】
前記収納ユニット特定部は、前記医療データのファイル拡張子に基づいて、当該医療データの種類を一意に識別する識別情報を特定し、特定した前記識別情報が記憶されている前記識別情報記憶部を有する前記収納ユニットを特定する、
請求項１または２に記載のデータストレージ装置。
【請求項４】
前記収納ユニット特定部は、前記医療データのファイル拡張子がＤＩＣＯＭ規格で規定されているファイル拡張子である場合、前記医療データに付帯されている付帯情報に応じて、当該医療データの種類を一意に識別する識別情報を特定する、
請求項３に記載のデータストレージ装置。
【請求項５】
前記記録制御部は、前記医療データの種類を一意に識別する識別情報が記憶されている前記識別情報記憶部を有する前記収納ユニットが存在しない場合、識別情報が記憶されていない識別情報記憶部を有する収納ユニットに収納されているデータ記録媒体に対して前記医療データの記録を行うとともに、当該識別情報記憶部に前記医療データの種類を一意に識別する識別情報を記録する制御を行う、
請求項１〜４の何れか１項に記載のデータストレージ装置。
【請求項６】
請求項１〜５の何れか１項に記載のデータストレージ装置と、
前記データストレージ装置に着脱可能に装着されており、複数の第２データ記録媒体を収納し、当該第２データ記録媒体に記録されるデータの種類を一意に識別する第２識別情報を記憶可能な第２識別情報記憶部を有する第２収納ユニットと、
を備え、
前記記録制御部は、前記医療データの記録要求が発生した場合、前記医療データの種類を一意に識別する識別情報と前記第２識別情報記憶部に記憶されている前記第２識別情報とが同じであるとき、前記第２データ記録媒体に前記医療データを記録する制御を行う、
データストレージシステム。
【発明の詳細な説明】
【技術分野】
【０００１】
本発明は、放射線画像や内視鏡映像などの医療データを保存するデータストレージ装置およびデータストレージシステムに関する。
【背景技術】
【０００２】
近年、長期保存を目的とした業務用の光ディスクが商品化されている。さらに複数枚の光ディスクを１つのマガジンに封入して、当該複数枚の光ディスクに対して同時にアクセス可能な大容量メディアも実用化されている。
【０００３】
特許文献１には、光ディスクに対するデータ転送速度のさらなる向上を図るため、複数の多層ディスクに対して複数の光ピックアップを用いて並列して記録／再生を行うことが可能な光記録システムが開示されている。図１は、特許文献１に記載されている光記録システムの全体構成を示す図である。図１に示すように、１つのディスクカートリッジ１０（マガジン）当たり５枚の多層光ディスク１１（例えば、Ｂｌｕ−ｒａｙディスクなど）が装填されており、ホスト装置５０側からは、１つのストレージデバイスとして認識される。例えば、１０個のデータを記録する場合については、ホスト装置５０側からは、どのディスクカートリッジ１０、または、どの多層光ディスク１１に記録するかは意識せずに、通常１番目のディスクカートリッジ１０の１番目の多層光ディスク１１からシーケンシャルにデータが追記され、管理情報としてファイル名および更新日時等も記録される。
【０００４】
特許文献２には、図２に示すように、複数枚の光ディスク４１が装填されたカートリッジ４０（マガジン）が開示されている。カートリッジ４０内の各光ディスク４１へのアクセス性を向上させるため、カートリッジ４０の側面４０ｂには、カートリッジ４０内の各光ディスク４１の管理情報を記録するためのＲＦＩＤ素子（記憶素子）４２が設けられている。
【先行技術文献】
【特許文献】
【０００５】
【特許文献１】特開２０１４−０３８６７９号公報
【特許文献２】特開２００９−１１６９４２号公報
【発明の概要】
【発明が解決しようとする課題】
【０００６】
ところで、病院等の医療機関で使用される医療データには、紹介状や同意書など証憑として一定期間保存して再利用されないデータと、放射線画像や手術映像等のように長期間後の再診や経過観察、または患者からの依頼によって再利用が発生するデータとが混在している。
【０００７】
このような医療データを保存するための記録媒体として特許文献１に記載のデータストレージ装置を用いた場合には、全ての医療データが、記録した時間によってシーケンシャルに書き込まれるため、所望の医療データにアクセスしたいときには、全てのディスクカートリッジ１０に装填されている全ての多層光ディスク１１の管理情報を読み込んで検索する必要がある。すなわち、各ディスクカートリッジ１０の多層光ディスク１１を順次ドライブユニット３０に展開して装填、起動する必要があり、所望の医療データにアクセスするのに非常に時間がかかるという問題があった。
【０００８】
上記問題に対して、特許文献２に記載の技術のように、ＲＦＩＤ素子に上記管理情報をタグ情報として記録すれば、ＲＦＩＤリーダライタによって所望のデータへのアクセスが容易になる。しかしながら、ＲＦＩＤ素子のタグ情報の容量は通常２４０ビット程度であり、装置内部および棚管理された全てのカートリッジと当該カートリッジに収容された光ディスクの管理情報を記録するには容量が小さすぎる。そのため、上記問題に対して、特許文献２に記載の技術をそのまま適用することは現実的ではない。
【０００９】
本発明の目的は、所望の医療データへのアクセス時間を大幅に短縮することが可能なデータストレージ装置およびデータストレージシステムを提供することである。
【課題を解決するための手段】
【００１０】
本開示に係るデータストレージ装置は、
複数のデータ記録媒体を収納し、当該複数のデータ記録媒体に記録されるデータの種類を一意に識別する識別情報を記憶可能な識別情報記憶部を有する収納ユニットと、
複数の前記収納ユニットを格納する収納ユニット格納部と、
医療データの記録要求が発生した場合、前記収納ユニット格納部に格納されている前記複数の収納ユニットのうち、当該医療データの種類を一意に識別する識別情報が記憶されている前記識別情報記憶部を有する前記収納ユニットを特定する収納ユニット特定部と、
前記収納ユニット特定部により特定された前記収納ユニットに収納されている前記データ記録媒体に前記医療データを記録する制御を行う記録制御部と、
を備える。
【００１１】
本開示に係るデータストレージシステムは、
上記データストレージ装置と、
前記データストレージ装置に着脱可能に装着されており、複数の第２データ記録媒体を収納し、当該第２データ記録媒体に記録されるデータの種類を一意に識別する第２識別情報を記憶可能な第２識別情報記憶部を有する第２収納ユニットと、
を備え、
前記記録制御部は、前記医療データの記録要求が発生した場合、前記医療データの種類を一意に識別する識別情報と前記第２識別情報記憶部に記憶されている前記第２識別情報とが同じであるとき、前記第２データ記録媒体に前記医療データを記録する制御を行う。
【発明の効果】
【００１２】
本発明によれば、複数のデータ記録媒体を収納した収納ユニットをさらに複数巻搭載して、個々の収納ユニットのデータ記録媒体に記録可能なデータストレージ装置を医療機関に活用するにあたり、医療データのような多岐にわたるデータ形態がある場合に、例えばＤＩＣＯＭのようにデータ毎に付加されている識別情報を用いて、記録対象の収納ユニットを選択し、当該収納ユニットが有する識別情報記憶部（例えば、ＲＦＩＤ）に識別情報を記録する。そのため、再利用したい所望のデータの種類さえ分かっていれば、収納ユニットに収納されているデータ記録媒体に記録されているデータを読み出さなくても、識別情報記憶部に記憶されている識別情報を取得しさえすれば、どの収納ユニットのデータ記録媒体に所望のデータが記録されているかを判断することができ、所望のデータへのアクセス時間を大幅に短縮することができる。
【００１３】
また、収納ユニットがデータストレージ装置から出されて、保管棚で管理されている場合においても、識別情報記憶部から識別情報を読み出す装置（例えば、ハンドキャリーのＲＦＩＤリーダ）を用いれば、データの種類で収納ユニットを絞って検索することができる。これにより、利便性の高いシステムを構築することができ、長期間のアーカイブでも収納ユニットの管理や棚卸しを容易に行うことができる。
【図面の簡単な説明】
【００１４】
【図１】従来技術における光記録システムの構成を示す図である。
【図２】従来技術におけるカートリッジの構成を示す図である。
【図３】第１の実施の形態における大容量データストレージ装置の構成を示す図である。
【図４】第１の実施の形態における大容量データストレージ装置の構成を示す図である。
【図５】ＤＩＣＯＭデータの全体構成と当該ＤＩＣＯＭデータのＴａｇ情報の一例を示す図である。
【図６】第１の実施の形態におけるデータ記録動作を示すフローチャートである。
【図７】第１の実施の形態におけるデータ再生動作を示すフローチャートである。
【図８】第２の実施の形態におけるデータストレージシステムの構成を示す図である。
【図９】第２の実施の形態におけるコンパクトデータストレージ装置の構成を示す図である。
【図１０】第２の実施の形態におけるデータ記録動作を示すフローチャートである。
【図１１】第２の実施の形態におけるデータインポート動作を示すフローチャートである。
【図１２】第２の実施の形態におけるデータエキスポート動作を示すフローチャートである。
【発明を実施するための形態】
【００１５】
まず、第１の実施の形態を図面に基づいて詳細に説明する。図３は、第１の実施の形態における大容量データストレージ装置１の構成を示す図である。大容量データストレージ装置１（略称として「ＤＡ」とも言う）は、複数巻の同型のディスクカートリッジ２１，２２，２３，・・・（本発明の「収納ユニット」に対応）を搭載したディスクカートリッジユニット２（本発明の「収納ユニット格納部」に対応）と、ディスク搬送機構３と、６基のドライブユニット１〜６を搭載したドライブユニット部４と、ホスト装置９との間でデータの送受信制御を行うドライブコントローラ５（本発明の「記録制御部」に対応）と、識別情報検出部６と、ＲＦＩＤリーダ／ライタ７とを備えて構成されている。図示していないが、ドライブコントローラ５は、ホスト装置９から受信したデータやホスト装置９に送信するデータを一時的に記憶するデータバッファメモリを備える。ＲＦＩＤリーダ／ライタ７は、ディスクカートリッジユニット２に搭載される各ディスクカートリッジに設けられるＲＦＩＤ４０（本発明の「識別情報記憶部」に対応）に近接し、近接したＲＦＩＤ４０に所定のデータを書き込んだり、ＲＦＩＤ４０からデータを読み込んだりできるように構成されている。なお、ドライブコントローラ５、識別情報検出部６およびＲＦＩＤリーダ／ライタ７は、本発明の「収納ユニット特定部」に対応する。
【００１６】
大容量データストレージ装置１は、医療機関のホスト装置９に接続されている。ホスト装置９には、電子カルテシステム、ドキュメントスキャンシステム、ＰＡＣＳサーバなどがある。ＰＡＣＳサーバには通常ＣＴ、ＭＲＩ、ＤＲなどの診断機器が接続され、ＰＡＣＳサーバと診断機器との間では、ＤＩＣＯＭ通信により医療データの送受信がなされている。
【００１７】
図４は、図３におけるディスクカートリッジ２７、ディスク搬送機構３およびドライブユニット部４の具体的な構成を示す図である。ディスク搬送機構３によってディスクカートリッジユニット２から選択的に取り出されたディスクカートリッジ２７には、複数の多層光ディスクＡ〜Ｆが着脱自在に収容されている。
【００１８】
例えば、ディスクカートリッジユニット２の中から、ディスクカートリッジ２７が選択されると、ディスク搬送機構３が有するアーム機構８は、所定の位置に上下移動してディスクカートリッジ２７の中から６枚一組となった光ディスクＡ〜Ｆを取り出す。また、ＲＦＩＤリーダ／ライタ７と識別情報検出部６とによって、ＲＦＩＤ４０の読み取りを行いながらの所望のディスクカートリッジの探索およびＲＦＩＤ４０に対するデータ更新と、アーム機構８による光ディスクＡ〜Ｆの取り出し／収納を速やかに行うことができる。また、アーム機構８によって取り出された６枚の光ディスクＡ〜Ｆは、ドライブユニット部４のドライブユニット４ａ〜４ｆに１枚ずつ装填され、実質的に６枚同時にアクセスすることが可能に構成されている。
【００１９】
なお、ディスクカートリッジに収納される光ディスクは必ずしも多層光ディスクである必要はなく、１以上の記録層を有する光ディスクであれば良い。また、ディスクカートリッジに収納される枚数は、６枚でなくても良く、ドライブユニット部４に搭載されるドライブユニットの数と共に、１以上の光ディスクと１基以上のドライブユニットでも良い。
【００２０】
ディスクカートリッジ２７には、ディスクカートリッジ２７に収納されている光ディスクＡ〜Ｆに記録されるデータの種類を一意に識別する識別情報を記憶可能なＲＦＩＤ４０が設けられている。本実施の形態では、ディスクカートリッジ２７の棚管理、検索、登録廃棄等の利便性を向上させるため、１次元または２次元のバーコード４２も装着されている。バーコード４２は、ユーザ（作業者）がバーコードリーダ（スキャナ）を使用して、棚管理や登録廃棄等を行うために用いられる。
【００２１】
ディスクカートリッジ２７の形態形状は、ハンドリング性、多層光ディスクの収納効率等の点から、例えば直方体形状、円筒形状等が想定されるが、図４の例では、複数の多層光ディスクＡ〜Ｆを平積みで収容した直方体形状のディスクカートリッジが用いられる。ディスクカートリッジ２７の少なくとも一つの側面には、各光ディスクを出し入れするための開口部と、当該開口部を開閉する扉（図示せず）とが設けられている。扉は、ディスク搬送機構３によるディスクカートリッジ２７からの光ディスクＡ〜Ｆの出し入れの動作と連動して開閉され、光ディスクＡ〜Ｆの出し入れ以外のときは閉状態となっている。
【００２２】
図５は、医療機関や病院で扱う医療情報の１つであるＤＩＣＯＭデータのデータ構造（フォーマット）を示している。ここで、ＤＩＣＯＭ(ダイコム）とは、Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅの略で、米国放射線学会 (ＡＣＲ)と北米電子機器工業会（ＮＥＭＡ)が開発した、ＣＴやＭＲＩ、ＣＲなどで撮影した医用画像のフォーマットと、それらの画像を扱う医用画像機器間の通信プロトコルを定義した標準規格のことである。
【００２３】
図５に示すように、ＤＩＣＯＭ情報は、所定のＤａｔａ  Ｅｌｅｍｅｎｔというデータ要素に分割されて転送される。各データ要素は、Ｔａｇ（本発明の「付帯情報」に対応）、ＶＲ(オプション値の表現)、Ｖａｌｕｅ  ｌｅｎｇｔｈ（値の長さ）、Ｖａｌｕｅ  Ｆｉｅｌｄ（値自体）の領域から構成されている。Ｔａｇ以外は、本発明と直接関係ないので説明を省略する。
【００２４】
Ｔａｇの部分には、規定の情報が記述されている。例えば図５に示すように、Ｔａｇの０００８のリストにおいて、Ｓｔｕｄｙ  ＤａｔｅやＳｔｕｄｙ  Ｔｉｍｅといった検査日時やＭｏｄａｌｉｔｙといった検査装置の種類（図５の例では、ＣＴ）が記載されているため、直接的にＴａｇの所定のリストを読み込むだけで、データの種別が何であるかを容易に判定することができる。
【００２５】
したがって、例えば、図３におけるホスト装置９がＰＡＣＳサーバで、そのＰＡＣＳサーバからＤＩＣＯＭ形式でＣＴ画像が転送されてきた場合には、ドライブコントローラ５は、データのファイル拡張子を検出し、検出したファイル拡張子が「.ＤＣＭ」（ＤＩＣＯＭ規格で規定されているファイル拡張子）である場合にＤＩＣＯＭデータであると判定する。ドライブコントローラ５は、ＤＩＣＯＭデータであると判定した場合には、転送されてきたデータ要素を識別情報検出部６に出力する。
【００２６】
識別情報検出部６は、ドライブコントローラ５から転送されてきたデータ要素の中のＴａｇを解析し、例えばＴａｇの「０００８  ００６０」の「Ｖａｌｕｅ」値が「ＣＴ」に対応する値を示している場合、これから送られてくるデータがＣＴ画像データであると判定する。ＤＩＣＯＭ規格では、ＣＴ以外にも、検査装置の種類によって一意的に値（Ｔａｇの「０００８  ００６０」の「Ｖａｌｕｅ」値）が決まっており、例えばＭＲＩ、ＡＮＧＩＯ、ＤＲ、ＸＲ等と容易に検査装置の種類からデータの種類を判別することができる。
【００２７】
また、識別情報検出部６は、データのファイル拡張子が「.ＤＣＭ」以外である場合には、当該ファイル拡張子を読み込み、読み込んだファイル拡張子によってデータ（医療機関で扱われているデータ）の種類を判別する。「.ＤＣＭ」以外のデータには、例えば、看護士が患者の容体を撮影したデジカメ画像データ（ＪＰＥＧ）、手術動画を記録した動画データ（ＭＰＥＧ）、紹介状や同意書をスキャナで電子化したデータ（ＰＤＦやＴＩＦＦ）、訪問看護で端末に記録した診療録などのテキストデータ（ＴＸＴ）等がある。識別情報検出部６によって判別されたデータの種類に応じて、当該データ本体は、それぞれ専用のディスクカートリッジに切り分けて当該ディスクカートリッジに収納される光ディスクに記録される。また、識別情報検出部６によって判別されたデータの種類を一意に識別する識別情報は、ＲＦＩＤリーダ／ライタ７によって各カートリッジに設けられているＲＦＩＤ４０に記録される。
【００２８】
次に、データの識別情報および当該データ本体のデータ記録動作と、ホスト装置９から所望のデータの再生要求があったときのデータ再生動作について図６，７を参照して説明する。
【００２９】
図６は、第１の実施の形態におけるデータ記録動作を示すフローチャートである。図６におけるステップＳ１００の処理は、ホスト装置９から、大容量データストレージ装置１に対する医療データの記録要求が発生することにより開始する。記録要求の発生により、ホスト装置９から大容量データストレージ装置１のドライブコントローラ５に対して、医療データの転送が開始される。なお、データ転送のシーケンスは、データ本体よりも先に、通常ＯＳ（デバイスドライバ含む）によるデータ転送であれば、ファイルエントリと呼ばれるファイルのヘッダ部からデータ転送が開始される。また、ＤＩＣＯＭ規格によるデータ転送であれば、サービスメッセージからデータ転送が開始される。
【００３０】
ドライブコントローラ５は、データ転送が開始されると所定サイズのデータを識別情報検出部６に出力する。識別情報検出部６は、ドライブコントローラ５から出力された最初のデータのファイル拡張子が「.ＤＣＭ」であるか否かを確認することによって、ホスト装置９から転送される医療データがＤＩＣＯＭデータであるか否かを判定する（ステップＳ１００）。
【００３１】
判定の結果、ＤＩＣＯＭデータである場合（ステップＳ１００、ＹＥＳ）、識別情報検出部６は、ドライブコントローラ５から転送されてきたデータ要素の中のＴａｇを解析し、医療データの種類を判別する（ステップＳ１２０）。例えば、医療データの種類がＣＴ画像データである場合、識別情報検出部６は、当該医療データの種類を一意に識別する識別情報（ＣＴ）をＲＦＩＤリーダ／ライタ７に出力する。
【００３２】
一方、ＤＩＣＯＭデータでない場合（ステップＳ１００、ＮＯ）、ドライブコントローラ５から出力された最初のデータのファイル拡張子を読み込み、読み込んだファイル拡張子によって医療データの種類を判別する（ステップＳ１４０）。例えば、医療データの種類が動画データである場合、識別情報検出部６は、当該医療データの種類を一意に識別する識別情報（ＭＰＥＧ）をＲＦＩＤリーダ／ライタ７に出力する。
【００３３】
次に、ＲＦＩＤリーダ／ライタ７は、非接触でディスクカートリッジユニット２に搭載されている各ディスクカートリッジのＲＦＩＤ４０を読み込み、識別情報検出部６からＲＦＩＤリーダ／ライタ７に出力された識別情報が記録されているディスクカートリッジを探索する。その探索の結果、識別情報が記録されているディスクカートリッジが存在する場合（ステップＳ１６０、ＹＥＳ）、ドライブコントローラ５は、アーム機構８を制御して、当該ディスクカートリッジをディスク搬送機構３に移動させる。そして、ドライブコントローラ５は、ディスク搬送機構３に移動させられたディスクカートリッジに収納されている光ディスクＡ〜Ｆをドライブユニット部４の中の６基のドライブユニット４ａ〜４ｆにそれぞれ展開、装填し、それぞれのドライブユニット４ａ〜４ｆによってホスト装置９から転送される医療データを光ディスクＡ〜Ｆに記録させる（ステップＳ１８０）。
【００３４】
一方、識別情報が記録されているディスクカートリッジが存在しない場合（ステップＳ１６０、ＮＯ）、ＲＦＩＤリーダ／ライタ７は、ディスクカートリッジユニット２に搭載されているディスクカートリッジの中から、ＲＦＩＤ４０に識別情報が記録されていないディスクカートリッジを選択する（ステップＳ２００）。次に、ＲＦＩＤリーダ／ライタ７は、ステップＳ２００にて選択したディスクカートリッジのＲＦＩＤ４０に、識別情報検出部６からＲＦＩＤリーダ／ライタ７に出力された識別情報を書き込む（ステップＳ２２０）。以降、ホスト装置９から大容量データストレージ装置１に転送される医療データは、ステップＳ２００にて選択されたディスクカートリッジに追記される（ステップＳ２４０）。
【００３５】
なお、ディスクカートリッジユニット２に搭載されている全てのディスクカートリッジのＲＦＩＤ４０に何らかの識別情報が既に記録されている場合には、ドライブコントローラ５は、新しいディスクカートリッジ、または、保管棚に保管され、かつ、識別情報検出部６からＲＦＩＤリーダ／ライタ７に出力された識別情報がＲＦＩＤ４０に記録されているディスクカートリッジを要求する旨をホスト装置９に送信する。ホスト装置９に接続されている表示装置（モニタなど）は、ディスクカートリッジを要求する旨を表示することによって、ユーザーに当該旨を提示する。
【００３６】
ステップＳ１８０またはＳ２４０における医療データの記録完了後、ホスト装置９から別の医療データの記録要求が発生した場合には、アーム機構８によって、各ドライブユニット４ａ〜４ｆから光ディスクＡ〜Ｆがディスクカートリッジの中に収納される。そして、光ディスクＡ〜Ｆが収納されたディスクカートリッジは、ディスク搬送機構３およびアーム機構８によって、ディスクカートリッジユニット２の所定の位置に収容される。
【００３７】
図７は、第１の実施の形態におけるデータ再生動作を示すフローチャートである。図７におけるステップＳ３００の処理は、ホスト装置９から、所望の医療データの再生要求が発生することにより開始する。
【００３８】
まず、ドライブコントローラ５は、再生要求の医療データの種類を一意に識別する識別情報をＲＦＩＤリーダ／ライタ７に出力する（ステップＳ３００）。次に、ＲＦＩＤリーダ／ライタ７は、非接触でディスクカートリッジユニット２に搭載されている各ディスクカートリッジのＲＦＩＤ４０を読み込み、ドライブコントローラ５からＲＦＩＤリーダ／ライタ７に出力された識別情報が記録されているディスクカートリッジを探索する。その探索の結果、識別情報が記録されているディスクカートリッジが存在する場合（ステップＳ３２０、ＹＥＳ）、ドライブコントローラ５は、ＲＦＩＤリーダ／ライタ７に取り付けられているアーム機構８を制御して、当該ディスクカートリッジをディスク搬送機構３に移動させる。そして、ドライブコントローラ５は、ディスク搬送機構３に移動させられたディスクカートリッジに収納されている光ディスクＡ〜Ｆをドライブユニット部４の中の６基のドライブユニット４ａ〜４ｆにそれぞれ展開、装填し、それぞれのドライブユニット４ａ〜４ｆによって各光ディスクＡ〜Ｆの管理情報を再生する（ステップＳ３４０）。
【００３９】
次に、ドライブコントローラ５は、再生された各光ディスクＡ〜Ｆの管理情報を参照し、再生要求対象の医療データが光ディスクＡ〜Ｆの中に存在するか否かを判定する（ステップＳ３６０）。判定の結果、再生要求対象の医療データが光ディスクＡ〜Ｆの中に存在しない場合（ステップＳ３６０、ＮＯ）、処理はステップＳ３２０に遷移し、ＲＦＩＤリーダ／ライタ７は、ドライブコントローラ５からＲＦＩＤリーダ／ライタ７に出力された識別情報が記録されている次の候補のディスクカートリッジを探索する。
【００４０】
一方、再生要求対象の医療データが光ディスクＡ〜Ｆの中に存在する場合（ステップＳ３６０、ＹＥＳ）、ドライブコントローラ５は、ドライブユニット４ａ〜４ｆによって再生要求対象の医療データを再生させてホスト装置９に送信する（ステップＳ３８０）。
【００４１】
ドライブコントローラ５からＲＦＩＤリーダ／ライタ７に出力された識別情報が記録されている全てのディスクカートリッジに収納されている光ディスクＡ〜Ｆに再生要求対象の医療データが存在しない場合（ステップＳ３２０、ＮＯ）には、再生要求対象の医療データが記録されているディスクカートリッジは、大容量データストレージ装置１から排出されて保管棚で管理されていると判断することができる。この場合には、ユーザーは、管理棚の扉を開け、携帯可能なＲＦＩＤスキャナによってディスクカートリッジに設けられているＲＦＩＤから識別情報を容易に読み取ることができる。そして、再生要求対象の医療データが記録されているディスクカートリッジを探索できた場合には、ユーザーは、当該ディスクカートリッジを大容量データストレージ装置１のディスクカートリッジユニット２に装填する。
【００４２】
以上詳しく説明したように、第１の実施の形態では、医療データのような長期保存のアーカイブが必要で、さらに再利用されるようなデータを複数のディスクカートリッジに記録するデータストレージ装置において、従来のデータストレージ装置に比べて、所望（記録要求対象または再生要求対象）の医療データへのアクセス時間を大幅に短縮することができるため、利便性の高いシステムを構築することができる。さらに、長期保存のため、長期間蓄積され、保管棚で多くのディスクカートリッジが保管されている場合においても、保管棚から必要なディスクカートリッジの選択が容易となり、病院のワークフローを大幅に改善することができる。
【００４３】
次に、第２の実施の形態を図面に基づいて詳細に説明する。図８は、第２の実施の形態におけるデータストレージシステム１００の構成を示す図である。本実施の形態では、データストレージシステム１００は、例えば大病院で使用される。なお、第１の実施の形態における各部構成と同様のものについては同一の符号を付し、その説明を省略する。
【００４４】
データストレージシステム１００は、大容量データストレージ装置１と、データストレージ装置１に着脱可能に装着されているコンパクトデータストレージ装置１０（略称として「ＣＡ」とも言う）と、ホスト装置９とを備えて構成されている。
【００４５】
図９は、コンパクトデータストレージ装置１０の構成を示す図である。コンパクトデータストレージ装置１０は、ＩＦ回路１１、ディスクカートリッジ１２（本発明の「第２収納ユニット」に対応）、ＲＦＩＤ１３（本発明の「第２識別情報記憶部」に対応）、ＲＦＩＤリーダ／ライタ１４、アーム機構１５およびドライブユニット１６を備えて構成されている。
【００４６】
図９は、ディスクカートリッジ１２から６枚一組の光ディスクＡ〜Ｆ（本発明の「第２データ記録媒体」に対応）を取り出した後、取り出した６枚の光ディスクＡ〜Ｆのうちの１枚の光ディスクＢをドライブユニット１６に装填する様子を示している。このように、コンパクトデータストレージ装置１０は、６枚の光ディスクＡ〜Ｆを１枚、１枚、ドライブユニット１６に装填して、装填した光ディスクに対してデータの記録または再生を行うように構成されている。したがって、コンパクトデータストレージ装置１０は、ホスト装置９または大容量データストレージ装置１内のドライブコントローラ５から送信されてくるデータを、ＩＦ回路１１を介してディスクカートリッジ１２内の光ディスクＡ〜Ｆに記録することができる。また、コンパクトデータストレージ装置１０は、ディスクカートリッジ１２内の光ディスクＡ〜Ｆのうち所望の光ディスクを、または全ての光ディスクＡ〜Ｆを順番に、ドライブユニット１６に装填させてデータの読み出しを行い、ホスト装置９または大容量データストレージ装置１内のドライブコントローラ５に転送することができる。
【００４７】
なお、本明細書では、コンパクトデータストレージ装置１０は、大容量データストレージ装置１内のドライブコントローラ５に接続して、データの送受信を行うように説明する。しかし、コンパクトデータストレージ装置１０は、ＩＦ回路１１にて汎用的なインターフェース規格をサポートしているため、ホスト装置９とコンパクトデータストレージ装置１０とをＬＡＮ、ＵＳＢ等で直接的に接続し、例えばコンパクトデータストレージ装置１０および大容量データストレージ装置１間のデータの送受信を管理するソフトウェアをホスト装置９に実装しても良い。
【００４８】
図１０は、第２の実施の形態におけるデータ記録動作を示すフローチャートである。図１０におけるステップＳ４００の処理は、ホスト装置９から、大容量データストレージ装置１に対する医療データの記録要求が発生することにより開始する。記録要求の発生により、ホスト装置９から大容量データストレージ装置１のドライブコントローラ５に対して、医療データの転送が開始される。
【００４９】
ドライブコントローラ５は、データ転送が開始されると所定サイズのデータを識別情報検出部６に出力する。識別情報検出部６は、ドライブコントローラ５から出力された最初のデータのファイル拡張子が「.ＤＣＭ」であるか否かを確認することによって、ホスト装置９から転送される医療データがＤＩＣＯＭデータであるか否かを判定する（ステップＳ４００）。
【００５０】
判定の結果、ＤＩＣＯＭデータである場合（ステップＳ４００、ＹＥＳ）、識別情報検出部６は、ドライブコントローラ５から転送されてきたデータ要素の中のＴａｇを解析し、医療データの種類を判別する（ステップＳ４２０）。例えば、医療データの種類がＣＴ画像データである場合、識別情報検出部６は、当該医療データの種類を一意に識別する識別情報（ＣＴ）をＲＦＩＤリーダ／ライタ７に出力する。
【００５１】
一方、ＤＩＣＯＭデータでない場合（ステップＳ４００、ＮＯ）、ドライブコントローラ５から出力された最初のデータのファイル拡張子を読み込み、読み込んだファイル拡張子によって医療データの種類を判別する（ステップＳ４４０）。例えば、医療データの種類が動画データである場合、識別情報検出部６は、当該医療データの種類を一意に識別する識別情報（ＭＰＥＧ）をＲＦＩＤリーダ／ライタ７に出力する。
【００５２】
次に、ＲＦＩＤリーダ／ライタ７は、非接触でディスクカートリッジユニット２に搭載されている各ディスクカートリッジのＲＦＩＤ４０を読み込み、識別情報検出部６からＲＦＩＤリーダ／ライタ７に出力された識別情報が記録されているディスクカートリッジを探索する。その探索の結果、識別情報が記録されているディスクカートリッジが存在する場合（ステップＳ４６０、ＹＥＳ）、ドライブコントローラ５は、アーム機構８を制御して、当該ディスクカートリッジをディスク搬送機構３に移動させる。そして、ドライブコントローラ５は、ディスク搬送機構３に移動させられたディスクカートリッジに収納されている光ディスクＡ〜Ｆをドライブユニット部４の中の６基のドライブユニット４ａ〜４ｆにそれぞれ展開、装填し、それぞれのドライブユニット４ａ〜４ｆによってホスト装置９から転送される医療データを光ディスクＡ〜Ｆに記録させる（ステップＳ４８０）。
【００５３】
一方、識別情報が記録されているディスクカートリッジが存在しない場合（ステップＳ４６０、ＮＯ）、ＲＦＩＤリーダ／ライタ７は、ディスクカートリッジユニット２に搭載されているディスクカートリッジの中から、ＲＦＩＤ４０に識別情報が記録されていないディスクカートリッジを選択する（ステップＳ５００）。次に、ＲＦＩＤリーダ／ライタ７は、ステップＳ５００にて選択したディスクカートリッジのＲＦＩＤ４０に、識別情報検出部６からＲＦＩＤリーダ／ライタ７に出力された識別情報を書き込む（ステップＳ５２０）。以降、ホスト装置９から大容量データストレージ装置１に転送される医療データは、ステップＳ５００にて選択されたディスクカートリッジに追記される（ステップＳ５４０）。
【００５４】
ステップＳ４８０またはＳ５４０における医療データの記録完了後、ドライブコントローラ５は、記録要求の医療データにコピー指定があるか否かについて判定する（ステップＳ５６０）。例えば、ＣＴの医療データについて全てコピーを取る必要があれば、ディスクカートリッジのＲＦＩＤ４０に記憶される識別情報について、指定ビットにコピー指定のフラグを立てる、または、コピー指定のタグ情報を記録しておいても良い。
【００５５】
判定の結果、記録要求の医療データにコピー指定がない場合（ステップＳ５６０、ＮＯ）、図１０における処理は終了する。一方、記録要求の医療データにコピー指定がある場合（ステップＳ５６０、ＹＥＳ）、ドライブコントローラ５は、ホスト装置９から転送される医療データをコンパクトデータストレージ装置１０のディスクカートリッジ１２に収納される光ディスクＡ〜Ｆに記録（または追記）させる（ステップＳ５８０）。なお、コンパクトデータストレージ装置１０のディスクカートリッジ１２には、オンラインの容量とアクセス速度の制限があるため、ＲＦＩＤ１３が有する既存の識別情報以外のデータを記録したい場合もある。この場合、ＲＦＩＤリーダ／ライタ１４は、その識別情報をＲＦＩＤ１３に追加記録して更新する。例えば、ディスクカートリッジ１２に、ＤＹＣＯＭデータに加えて動画データも記録する場合である。
【００５６】
以上のように、図１０のデータ記録動作によれば、ユーザーや医療機関が指定する医療データが、外付けのコンパクトデータストレージ装置１０に記録されていくため、例えば災害時に基幹システムの障害が発生したとしても、重要なファイルはコンパクトデータストレージ装置１０のディスクカートリッジ１２に存在することとなる。よって、コンパクトデータストレージ装置１０からディスクカートリッジ１２を排出させて、障害の発生してない別の病院に持っていくことにより所望の重要な医療データの閲覧や利用が可能になる。また、例えば大容量データストレージ装置１とコンパクトデータストレージ装置１０とを接続するＵＳＢケーブルやＬＡＮケーブルを抜いてコンパクトデータストレージ装置１０自体を持ち出しても良い。以上のように、障害発生時における緊急対応を容易にすることができる。
【００５７】
図１１は、第２の実施の形態におけるデータインポート動作を示すフローチャートである。図１１におけるステップＳ６００の処理は、ホスト装置９から、コンパクトデータストレージ装置１０のディスクカートリッジ１２に記録されている医療データを大容量データストレージ装置１のディスクカートリッジにインポートするデータインポート要求が発生することにより開始する。
【００５８】
まず、コンパクトデータストレージ装置１０は、ユーザーによるディスクカートリッジ１２（ＣＡカートリッジ）の装填を受け付ける（ステップＳ６００）。次に、ドライブコントローラ５は、アーム機構１５を制御し、ディスクカートリッジ１２に収納されている光ディスクＡ〜Ｆを１枚ずつドライブユニット１６にロードさせる。光ディスクＡ〜Ｆの起動は時間がかかるため、ＲＦＩＤリーダ／ライタ１４は、光ディスクＡ〜Ｆの起動の間にＲＦＩＤ１３に記憶されている識別情報（例えば「ＣＴ」）を読み込み、ドライブコントローラ５に送信する（ステップＳ６２０）。ドライブコントローラ５は、ＲＦＩＤリーダ／ライタ１４から送信された識別情報をＲＦＩＤリーダ／ライタ７に出力する。
【００５９】
次に、ＲＦＩＤリーダ／ライタ７は、非接触でディスクカートリッジユニット２に搭載されている各ディスクカートリッジのＲＦＩＤ４０を読み込み、ドライブコントローラ５から出力された識別情報が記録されているディスクカートリッジ（ＤＡカートリッジ）を探索する（ステップＳ６４０）。探索されたディスクカートリッジの中の光ディスクＡ〜Ｆは、ディスク搬送機構３によってドライブユニット部４のドライブユニット４ａ〜４ｆに６枚同時にロードされる。コンパクトデータストレージ装置１０のディスクカートリッジ１２に収納される６枚の光ディスクＡ〜Ｆに記録されている医療データ（ＣＴの画像データ）は、順次ドライブユニット１６によって読み込まれる。
【００６０】
次に、ドライブコントローラ５は、ドライブユニット１６によって読み込まれた医療データと同じデータが、探索されたディスクカートリッジの中の光ディスクＡ〜Ｆの中に存在するか否かについて判定する（ステップＳ６６０）。例えば、ドライブコントローラ５は、データファイル名、データ容量、更新日時などのファイル管理情報を参照して、同じデータが存在するか否かについて判定する。
【００６１】
判定の結果、同じデータが存在する場合（ステップＳ６６０、ＹＥＳ）、図１１におけるデータインポート動作は終了する。一方、同じデータが存在しない場合（ステップＳ６６０、ＮＯ）、ドライブコントローラ５は、ドライブユニット１６によって読み込まれた医療データを、探索されたディスクカートリッジの中の光ディスクＡ〜Ｆに記録（コピー）させる（ステップＳ６８０）。
【００６２】
最後に、ドライブコントローラ５は、公知の手法（ＶｅｒｉｆｙまたはＣｏｍｐａｒｅ）を用いて、ドライブユニット１６によって読み込まれた医療データが、探索されたディスクカートリッジの中の光ディスクＡ〜Ｆに正しく記録されたか否かについて判定する（ステップＳ７００）。判定の結果、正しく記録されていない場合（ステップＳ７００、ＮＯ）、処理はステップＳ６８０の前に戻る。一方、正しく記録されている場合（ステップＳ７００、ＹＥＳ）、コンパクトデータストレージ装置１０のディスクカートリッジ１２から、大容量データストレージ装置１のディスクカートリッジへの医療データのインポート動作が終了する。
【００６３】
以上のように、図１１のデータインポート動作によれば、起動に時間がかかる光ディスクを１枚、１枚再生して、インポート対象のディスクカートリッジを探索しなくても良く、ＲＦＩＤ４０によって極めて短時間で医療データのインポート先であるディスクカートリッジを選択することができる。これにより、外部の病院から患者のデータを持ち込んだ場合でも、医療データの種類毎のディスクカートリッジ管理形態を崩すことなく、短時間で医療データのインポート処理を完了させることができる。また、コンパクトデータストレージ装置１０内のディスクカートリッジ１２の光ディスクＡ〜Ｆの再生動作を先に実行しておき、その再生された医療データを一旦ハードディスク（ＨＤＤ）や半導体メモリにバッファしておけば、大容量データストレージ装置１側に、たとえ同じ「ＣＴ」の識別情報を有するディスクカートリッジが複数巻あったとしても、複数のドライブユニット４ａ〜４ｆでディスクカートリッジ内の全ての光ディスクＡ〜Ｆを一度に再生、記録することができるので、さらに医療データのインポート速度を向上させることができる。
【００６４】
図１２は、第２の実施の形態におけるデータエキスポート動作を示すフローチャートである。図１２におけるステップＳ８００の処理は、ホスト装置９から、大容量データストレージ装置１のディスクカートリッジに記録されている医療データをコンパクトデータストレージ装置１０のディスクカートリッジ１２にエキスポートするデータエキスポート要求が発生することにより開始する。
【００６５】
まず、コンパクトデータストレージ装置１０は、ユーザーによるディスクカートリッジ１２（ＣＡカートリッジ）の装填を受け付ける（ステップＳ８００）。ユーザーは、新しいディスクカートリッジ、または、エクスポート対象の医療データと同じ識別情報を有するディスクカートリッジを例えば管理棚から、携帯可能なＲＦＩＤリーダを使用して検索し、その識別情報を有するディスクカートリッジをコンパクトデータストレージ装置１０に装填する。ドライブコントローラ５は、エキスポート対象の医療データの識別情報をＲＦＩＤリーダ／ライタ７に出力する。
【００６６】
次に、ＲＦＩＤリーダ／ライタ７は、非接触でディスクカートリッジユニット２に搭載されている各ディスクカートリッジのＲＦＩＤ４０を読み込み、ドライブコントローラ５から出力された識別情報が記録されているディスクカートリッジ（ＤＡカートリッジ）を探索する（ステップＳ８２０）。探索されたディスクカートリッジの中の光ディスクＡ〜Ｆは、ディスク搬送機構３によってドライブユニット部４のドライブユニット４ａ〜４ｆに６枚同時にロードされる。
【００６７】
次に、ドライブコントローラ５は、ＲＦＩＤリーダ／ライタ１４を用いて、コンパクトデータストレージ装置１０に装填されたディスクカートリッジが新しいディスクカートリッジであるか否か（つまり、ＲＦＩＤ１３に識別情報が記録されているか否か）について判定する（ステップＳ８４０）。判定の結果、新しいディスクカートリッジでない場合（ステップＳ８４０、ＮＯ）、処理はステップＳ８８０に遷移する。一方、新しいディスクカートリッジである場合（ステップＳ８４０、ＹＥＳ）、ドライブコントローラ５は、ＲＦＩＤリーダ／ライタ１４を制御して、コンパクトデータストレージ装置１０に装填されたディスクカートリッジのＲＦＩＤ１３に対して、エキスポート対象の医療データの識別情報を記録させる（ステップＳ８６０）。その後、処理はステップＳ８８０に遷移する。
【００６８】
ステップＳ８８０では、ドライブコントローラ５は、ドライブユニット部４のドライブユニット４ａ〜４ｆによって読み込まれた医療データを、コンパクトデータストレージ装置１０に装填されたディスクカートリッジの中の光ディスクＡ〜Ｆに記録（コピー）させる（ステップＳ８８０）。
【００６９】
最後に、ドライブコントローラ５は、公知の手法（ＶｅｒｉｆｙまたはＣｏｍｐａｒｅ）を用いて、ドライブユニット４ａ〜４ｆによって読み込まれた医療データが、コンパクトデータストレージ装置１０に装填されたディスクカートリッジの中の光ディスクＡ〜Ｆに正しく記録されたか否かについて判定する（ステップＳ９００）。判定の結果、正しく記録されていない場合（ステップＳ９００、ＮＯ）、所定のエラー表示をして、処理はステップＳ８８０の前に戻る。一方、正しく記録されている場合（ステップＳ９００、ＹＥＳ）、大容量データストレージ装置１のディスクカートリッジからコンパクトデータストレージ装置１０のディスクカートリッジ１２への医療データのエキスポート動作が終了する。
【００７０】
以上のように、図１２のデータインポート動作によれば、起動に時間がかかる光ディスクを１枚、１枚再生して、エクスポート対象のディスクカートリッジを探索しなくても良く、ＲＦＩＤ４０によって極めて短時間で医療データのエキスポート元であるディスクカートリッジを選択することができる。これにより、外部の病院へ患者の医療データを持ち出す場合でも、短時間で、大容量データストレージ装置１のディスクカートリッジからコンパクトデータストレージ装置１０のディスクカートリッジ１２へ医療データをエキスポートすることができる。
【００７１】
なお、上記第２の実施の形態において、ファイル管理情報を保存するファイルエントリを特定のディスクカートリッジに記録しておいても良い。一般的には、光ディスクはＵＤＦで管理される場合が多く、その場合は、ファイル管理情報を保存する２Ｋバイトのファイルエントリ（ＦＥ）と、可変長のファイル本体（データ）を成すファイルボディ（ＦＢ）とによって構成されている。なお、ファイルエントリとファイルボディとは論理的に紐付けされており、物理的に離れた位置（例えば光ディスクの内周と外周、多層ディスクの第１層目と第２層目など）に記録されても良い。したがって、大容量データストレージ装置１の全てのディスクカートリッジに記録される全ファイルのファイルエントリを特定のディスクカートリッジに集めて記録しておくことによって、例えばファイルエクスプローラなどで、全てのディスクカートリッジに何のファイルが入っているかの確認が迅速かつ容易に行うことができる。ファイルエントリは僅か２Ｋバイトの大きさであるため上記のように特定のディスクカートリッジを指定して、そこに集約してファイルエントリを記録することは現実的である。さらに、例えば、ファイルエントリが記録されているディスクカートリッジのＲＦＩＤに識別情報としての「ＦＥ」を記録しておけば、緊急時にコンパクトデータストレージ装置１０に、その「ＦＥ」の識別情報によって、管理情報のみをエクスポートすることができる。これによって、大容量データストレージ装置１のファイルインデックスを容易に把握することができるため、何のデータが大容量データストレージ装置１のディスクカートリッジに存在するかがわかり、次のステップとして、大容量データストレージ装置１のどのディスクカートリッジをエクスポートすれば良いのかが容易にわかるので、特に緊急時にデータを持ち出したい場合の対応が容易となる。
【００７２】
また、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００７３】
＜本発明のまとめ＞
本発明のデータストレージ装置は、
複数のデータ記録媒体を収納し、当該複数のデータ記録媒体に記録されるデータの種類を一意に識別する識別情報を記憶可能な識別情報記憶部を有する収納ユニットと、
複数の前記収納ユニットを格納する収納ユニット格納部と、
医療データの記録要求が発生した場合、前記収納ユニット格納部に格納されている前記複数の収納ユニットのうち、当該医療データの種類を一意に識別する識別情報が記憶されている前記識別情報記憶部を有する前記収納ユニットを特定する収納ユニット特定部と、
前記収納ユニット特定部により特定された前記収納ユニットに収納されている前記データ記録媒体に前記医療データを記録する制御を行う記録制御部と、
を備える。
【００７４】
なお、前記識別情報記憶部は、非接触で前記識別情報を記憶可能なＲＦＩＤでも良い。
【００７５】
また、前記収納ユニット特定部は、前記医療データのファイル拡張子に基づいて、当該医療データの種類を一意に識別する識別情報を特定し、特定した前記識別情報が記憶されている前記識別情報記憶部を有する前記収納ユニットを特定しても良い。
【００７６】
また、前記収納ユニット特定部は、前記医療データのファイル拡張子がＤＩＣＯＭ規格で規定されているファイル拡張子である場合、前記医療データに付帯されている付帯情報に応じて、当該医療データの種類を一意に識別する識別情報を特定しても良い。
【００７７】
また、前記記録制御部は、前記医療データの種類を一意に識別する識別情報が記憶されている前記識別情報記憶部を有する前記収納ユニットが存在しない場合、識別情報が記憶されていない識別情報記憶部を有する収納ユニットに収納されているデータ記録媒体に対して前記医療データの記録を行うとともに、当該識別情報記憶部に前記医療データの種類を一意に識別する識別情報を記録する制御を行っても良い。
【００７８】
また、本発明のデータストレージシステムは、
上記データストレージ装置と、
前記データストレージ装置に着脱可能に装着されており、複数の第２データ記録媒体を収納し、当該第２データ記録媒体に記録されるデータの種類を一意に識別する第２識別情報を記憶可能な第２識別情報記憶部を有する第２収納ユニットと、
を備え、
前記記録制御部は、前記医療データの記録要求が発生した場合、前記医療データの種類を一意に識別する識別情報と前記第２識別情報記憶部に記憶されている前記第２識別情報とが同じであるとき、前記第２データ記録媒体に前記医療データを記録する制御を行う。
【産業上の利用可能性】
【００７９】
本発明は、所望の医療データへのアクセス時間を大幅に短縮することが可能なデータストレージ装置およびデータストレージシステムとして有用である。
【符号の説明】
【００８０】
１  大容量データストレージ装置
２  ディスクカートリッジユニット
３  ディスク搬送機構
４  ドライブユニット部
４ａ，４ｂ，４ｃ，４ｄ，４ｅ，４ｆ，１６  ドライブユニット
５  ドライブコントローラ
６，１３，４０  識別情報記憶部
７，１４  ＲＦＩＤリーダ／ライタ
８，１５  アーム機構
９  ホスト装置
１０  コンパクトデータストレージ装置
１１  ＩＦ回路
１２，２１，２２，２３，２４，２５，２６，２７，２８，２９，３０，３１，３２  ディスクカートリッジ
４２  バーコード
１００  データストレージシステム
Ａ，Ｂ，Ｃ，Ｄ，Ｅ，Ｆ  光ディスク
【図１】
2017084234.tif 000003
【図２】
2017084234.tif 000004
【図３】
2017084234.tif 000005
【図４】
2017084234.tif 000006
【図５】
2017084234.tif 000007
【図６】
2017084234.tif 000008
【図７】
2017084234.tif 000009
【図８】
2017084234.tif 000010
【図９】
2017084234.tif 000011
【図１０】
2017084234.tif 000012
【図１１】
2017084234.tif 000013
【図１２】
2017084234.tif 000014